(57)【要約】【課題】  携帯型情報端末機に使用されるカード類の装着は、多くの場合端末の表示面に平行に行うが、奥行きの小さな端末ではカードの挿入方向の表示が小さく解りづらい。カードの正しい挿入方向がわからないまま強引に挿入させようとしてカードやコネクタを破壊してしまう危険性がある。【解決手段】  携帯型情報端末機のカードスロットの挿入口にカード挿入を検出するセンサを設け、その検出信号に基づきＲＯＭ部から正しい挿入方向や向きを詳細に表示部に表示し、挿入方向の間違いによるカードやコネクタの破損を防止する。【選択図】  図１
2005301534.tif 000002
【特許請求の範囲】
【請求項１】
データを保管するメモリカードや外部とのデータ通信を行なうためのＩＯカードが挿抜できるカードスロット部と、画像情報を記憶することができる記憶部と、画像情報を画面に表示する表示部を備える携帯型情報端末機において、
前記カードスロット部にカードが挿入を開始したことを検出することができるカード挿入開始検出部を備え、
前記カード挿入開始検出部においてカードの挿入開始を検出したことを受けて、前記記憶部に記憶された正しいカード挿入方向を視覚的に表現した画像を前記表示部に表示させることを特徴とした携帯型情報端末機。
【請求項２】
請求項１記載の携帯型情報端末機において、
前記カード挿入開始検知部に光学式センサをカードスロット部の挿入口端に設けたことを特徴とした携帯型情報端末機。
【請求項３】
請求項１記載の携帯型情報端末機において、
前記カード挿入開始検知部に機械的スイッチを設けたことを特徴とした携帯型情報端末機。
【請求項４】
請求項１記載の携帯型情報端末機において、正しいカード挿入方向を視覚的に表現するデータを予め記憶部内に登録しておくことを特徴とした携帯型情報端末機。
【請求項５】
データを保管するメモリカードや外部とのデータ通信を行なうためのＩＯカードが挿抜できるカードスロット部と、画像情報を記憶することができる記憶部と、画像情報を画面に表示する表示部と、前記カードスロット部にカードが挿入を開始したことを検出することができるカード挿入開始検出部を備える携帯型情報端末機に、
カード挿入開始検出部からの信号を受け、前記記憶部に記憶された正しいカード挿入方向を視覚的に表現した画像を前記表示部に表示させるように制御するプログラム。
【発明の詳細な説明】
【技術分野】
【０００１】
本発明は、記録媒体としてメモリカードまたはデータ通信機器としてＩＯカードを用いる携帯型情報端末機に係り、特に、メモリカードまたはＩＯカードの誤挿入防止に関するものである。
【背景技術】
【０００２】
携帯型情報端末用の記録媒体としては、ＣＦ（Compact  Flash）カードやＳＤ（Secure Digital）カード等小型のタイプのものが多く採用されている。携帯型情報端末機はコンシューマ向けに限らず特定の企業に向けた端末機としても広く使われるようになり情報機器の取り扱いに不慣れなユーザーが使用するケースが増えている。特にカード挿入方向の誤りによるカードそのものや端末機の破損が増えている。
【０００３】
従来の携帯型情報端末機においては、カードスロット及びカードを左右異なる形状とし逆挿し防止構造になっている。この構造によって逆挿し防止の効果はあるが、使用経験の無いユーザーが逆挿しに気づかず無理やりに挿入しようとして機器に実装したカード接続の為のコネクタ等の部品を破損してしまうということが発生してしまう。
【０００４】
これらのカード及びカードスロット破損の問題に対して、カードをカードの挿入方向に対して左右非対称形状に形成し、正規の挿入方向でない場合に左右の形状の相違をスイッチにより検出を行い、使用者に正規の挿入方向でないことをブザーで知らせる技術が開示されている。（例えば、特許文献１参照）
【特許文献１】特開平７−２８９５９号公報
【発明の開示】
【発明が解決しようとする課題】
【０００５】
携帯型情報端末機において、ストレージカード（別名：メモリカード）やＩＯカードを使うためにカードスロットが実装されている。このカードスロットには、ＳＤカードやＣＦカードなどの種類があり、それぞれ挿入方向や向きが決まっている。カードの誤挿入に対してブザーで警告音を発しても、カードは正面（表示画面や操作キーがある面）に対し側面（厚さが薄い面）から挿入されるようにしたものがほとんどであり、そのためカードの挿入口付近にカードの挿入方法を大きく、詳しく表示することができず、カードの挿入口であることを示すだけになっており、どのようにしたら良いかは携帯型情報端末機の取り扱い説明書に描かれている説明図に頼らざるを得ず、不慣れな人は近くにいる取り扱いになれた人に聞いて対処するか、挿入方向を間違えたまま強引にカードを挿入させてカード本体や、カードのコネクタ部や基板を破損してしまう危険性があった。また、カードは挿入方向を間違えてもカードスロットの途中まで挿入可能のものがあり、余計に破損の危険性が増える。
【０００６】
本発明の目的は、使用者が新たにカードを挿入する際、正しい挿入方法をわかり易く提示し、カードの誤挿入によるカード、カードスロット及び基板の破損を防止した携帯型情報端末及びそのプログラムを提供することにある。
【課題を解決するための手段】
【０００７】
上記した目的を達成するために、本発明の携帯型情報端末機は、カードスロットへのカードの挿入を開始したことを検知するカード挿入開始検出センサ（スイッチ）を備え、前記カード挿入開始検出センサでカード挿入が開始されたことを検出した後、記憶部に格納された正しい挿入方法の画像を表示部に表示し、使用者に正しいカードの挿入方法を提示する。
【発明の効果】
【０００８】
本発明によれば、カードスロットにカードの挿入を開始すると、直ちに正しいカードの挿入方法がわかり易く表示され、カードの挿入方向を容易に確認することができ、カードスロット、カード及び装置の破損を未然に防止することができる。
【発明を実施するための最良の形態】
【０００９】
以下、本発明の一実施の形態について、図に従って説明する。
【００１０】
図１は、本発明による携帯型情報端末機の構成を示すブロック図である。図１において、携帯型情報端末機101は、ＣＰＵ110と、電源制御部111と、ＲＯＭ112と、ＲＡＭ113と、終了入力部114と、実行入力部115と、表示部／入力部（ＬＣＭ）116と、CFカードスロット117と、CFカード挿入開始検出センサ118と、SDカードスロット120と、SD カード挿入開始検出センサ121と、電池部119 および通信部122から構成されている。
【００１１】
ＣＰＵ110は携帯型情報端末機101を動作させるための中心的な役割を果たす装置で、プログラムを実行させるための演算等の処理を行う。電源制御部111は、後述する電池部119から供給される電力を各部品やモジュールに使用可能な電圧に変換して供給するアナログ回路で構成された部分である。また、ＣＰＵ110の指示に従って、必要箇所（各種モジュール）に電力の供給を入り切りする制御も行う。ＲＯＭ112は Read  Only  Memory の略で、携帯型情報端末機101を起動させるための基本動作プログラム（オペレーティングシステム）や、基本動作プログラムとハードウエアを結びつけるドライバプログラム、基本動作プログラム上で動作するアプリケーションプログラム等が記憶されている。ＲＡＭ113は Random  Access  Memory の略で、プログラムや使用者が作ったデータ等を一時的に記憶させておく装置である。終了入力部114は、実行しているプログラム終了の決定や、一つ前の動作に戻るときの指示を入力する電気的な信号（トリガ）を発生する装置である。一般的にはキャンセルキーと呼ばれる入力手段である。実行入力部115はプログラムの開始等の確定を認識する電気的な信号（トリガ）を発生する装置であり、一般的にエンターキーと呼ばれる入力手段である。
【００１２】
表示部／入力部（ＬＣＭ）116の表示部は、文字、静止画、動画等を人間の目で認識させるための出力装置で、液晶表示装置が代表的である。表示部／入力部（ＬＣＭ）116の入力部は、前述した表示部上に重ねて配置され、表示部が表示する情報とリンクさせて情報（データ）を入力する装置である。専用ペンや指で画面に触れると、入力信号（データ）と認識され、指示されたプログラムの実行や、入力データの確定をすることができる。前述した終了入力部114や、実行入力部115と同じ機能や処理を実現することができる電気的な信号を発生させる装置である。なお、116は、入力部の機能も備えているが、この機能を有さないで表示部としての機能を有するものであれば良い。
【００１３】
CFカードスロット117はCFカードを装着することができる。例えばBlue−tooth  CFカードなどを装着することによって新たなBlue−toothによる通信機能を追加する事ができる。CFカード挿入開始検出センサ118はCFカードスロット117の入口付近に設けられCFカードの挿入開始を検出する。SDカードスロット120はSDカードを装着することができる。例えばSDメモリカードを装着することにより携帯型情報端末101の記憶容量を拡充したり、携帯型情報端末101に保存されている情報をメモリカードに移して取りだし、他の情報機器で利用することができる。SDカード挿入開始検出センサ121はSDカードスロット120の入口付近に設けられSDカードの挿入開始を検出する。電池部119は、携帯型情報端末機101を動作させるための電力を蓄積、供給する装置である。
以下、本発明の詳細について、図２から図８を用いて説明する。図２はカード挿入開始時に正しいカード挿入方向を案内する表示の初期設定画面と、設定した情報を記憶するフォーマットである情報テーブルを図示したものである。
【００１４】
(a)カード挿入方向案内の設定画面において、カード挿入方向の案内を「する」または「しない」の設定や、カード挿入方向を案内する画像の表示時間を設定する。本画面は携帯型情報端末機101の起動時に表示されるアプリケーション一覧から選択して実行することにより表示される。カード挿入方向案内表示の設定201は、カード挿入開始を検出した時に正しいカード挿入方向を案内する画像の表示を表示部／入力部（ＬＣＭ）116に「表示させる」または「表示させない」の設定をするための項目および入力エリアである。カード挿入方向案内表示時間指定202は、カード挿入開始を検出した時に、正しいカード挿入方向を案内する画像の表示を表示部／入力部（ＬＣＭ）116に表示させる時間を設定する項目である。秒数指定エリア203は具体的に表示させておく時間を入力するエリアである。実行ボタン204は、カード挿入方向案内表示201で設定した情報と、カード挿入方向案内表示時間指定202の秒数指定エリア203で入力したデータの記録を指示する入力手段で、実行入力部115でのキー操作と同じ働きをし、指定された情報をRAM113に記憶した後にカード挿入方向案内の設定処理を終了する。キャンセルボタン205は、カード挿入方向の案内を「する」または「しない」の設定や、カード挿入方向を案内する表示時間を設定するためのプログラムを終了させ、カード挿入方向案内設定表示200を表示部／入力部（ＬＣＭ）116から消去するための指示をする入力手段で、終了入力部114でのキー操作と同じ働きをする。
【００１５】
(b)カード挿入方向案内の情報テーブルは、前記(a)カード挿入方向案内の設定画面で説明した方法で得た設定情報（データ）をＲＡＭ113の内部に記憶する為のテーブルを示したものである。カード挿入案内設定情報テーブル206はＣＰＵ110で処理可能なデータの状態に変換したもので、Ａデータ207、Ｂデータ208として「０」または「１」または数値データで保存する。Ａデータ207はカード挿入方向案内表示の設定201で設定したデータであり、Ｂデータ208はカード挿入方向案内の表示時間設定202の秒数指定エリア203で設定したデータである。
【００１６】
図３はカード挿入方向案内の設定処理フロー図である。カード挿入方向案内表示設定プログラム起動処理は携帯型情報端末機101の起動時に表示されるアプリケーションプログラム一覧から選択することにより開始される。ステップS300は図２(a)に示した「カード挿入方向案内の設定」画面200を表示部／入力部（ＬＣＭ）116に表示させ、表示の案内に従って入力を促し、取り入れた情報をＲＡＭ113に記憶させるためのプログラムを起動する処理である。次に実行入力判定処理（S301）を実行する。実行入力判定処理（S301）は、実行ボタン204または実行入力部115からの入力待ち処理で、実行ボタン204または実行入力部115からの入力が無い場合は次のキャンセル入力判定処理（S304）を実行する。
【００１７】
キャンセル入力はキャンセルボタン205または終了入力部114からの入力待ち処理で、キャンセルボタン205または終了入力部114からの入力が無い場合は実行入力判定処理（S301）に戻る。キャンセルボタン205または終了入力部114からの入力がありと判断した場合は何も実行せず、図２(a)に示した「カード挿入方向案内の設定画面」を消去（S309）してプログラムを終了する。実行入力判断処理（S301）において実行入力が「あり」の場合、Ａチェックエリアの情報を取得する処理へ移行する。Ａチェックエリア分岐処理（S302）のＡチェックエリアとは、図２(a)に示したカード挿入方向案内表示の設定201において「○する」または「○しない」のどちらに●がチェックされているか判断する処理である。「●する」の場合はＡ：１：０設定処理（S303）を実行する。
【００１８】
「Ａ：１：０」設定処理（S303）はテーブルＡが「１：０」というデータ（情報）をＲＡＭ113の内にある図２ (b)に示した「カード挿入案内設定情報テーブル」206のＡデータ207に格納する処理である。「●しない」の場合は「Ａ：０：１」設定処理（S305）を実行し、Ａが「０：１」というデータ（情報）をＲＡＭ113の内にある「カード挿入案内設定情報テーブル」206のＡデータ207に格納する処理である。「Ａ：１：０」設定処理（S303）または「Ａ：０：１」設定処理（S305）後、次にＢチェックエリア数値有無判定処理（S306）を実行する。Ｂチェックエリア数値有無判定処理（S306）で秒数指定エリア203に数値がない場合または「０」の場合は、「０」設定処理（S308）を実行する。「０」設定処理（S308）は、ＲＡＭ113の内にある図２(b)に示した「カード挿入案内設定情報テーブル」206のBデータ208に格納する処理である。Ｂチェックエリア数値有無判定処理（S306）で秒数指定エリア203に数値が入力されている場合は、入力数値設定処理（S307）を実行する。
【００１９】
入力数値設定処理（S307）はＲＡＭ113の内にある図２(b)に示した「カード挿入案内設定情報テーブル」206のBデータ208に数値データ（情報）格納する処理である。「０」設定処理（S308）も同様にＲＡＭ113の内にある図２(b)に示した「カード挿入案内設定情報テーブル」206のBデータ208に数値データ（情報）格納する処理である。データの格納後、「カード挿入方向案内の設定」の画面200を消去し（S309）、プログラムを終了する。
【００２０】
図４はカードの挿入を検出するカード挿入開始検出センサの模式図である。(a)は光学式センサ、(b)は機械的スイッチセンサの例を示す。 (a)において、上ケース（一部）400は筐体の上部で表示部／入力部（ＬＣＭ）116が乗っている側の筐体部分である。赤外線受光部408は後述する赤外線発光部401から発光した赤外線を検出する装置（部品）である。赤外線発光部用コネクタ402は後述する赤外線発光部401へ電力を供給するために後述する基板405と接続するコネクタである。赤外線受光部用コネクタ406は赤外線受光部408で検出した赤外線の有無を電気的にＣＰＵ110（後述する基板405に搭載）へ伝えるためのインターフェイスの役割を果たす部品である。403はCFカード又はSDカードである。カードスロット404は図１に示したCFカードスロット117またはSDカードスロット120を模式的に図示したものである。基板405は実行入力部115、終了入力部114、ＲＡＭ113、ＲＯＭ112、電源制御部111、ＣＰＵ110、CFカードスロット117等の部品を実装し、電気的な回路を実現するために、導体や絶縁体でできた板状の部品である。下ケース（一部）407は下半分の筐体部分である。カードを挿していない場合は、赤外線発光部401から発した赤外線を赤外線受光部408で受光しスイッチOFFと同じ状態を作る。カード403が挿入を開始すると赤外線発光部401から発した赤外線がカットされ、赤外線受光部408で光を検出できなくなりスイッチONと同じ状態と認識する方法で光学的スイッチを実現する。機械的可倒スイッチ409はカード403の挿入開始により棒状のスイッチ部分が倒されスイッチON状態を作る。カード403が挿入されていない場合は棒状のスイッチ部に何も触れていないのでスイッチはOFF状態を保ち、カードが挿入されている場合はスイッチはON状態を保つ。
【００２１】
図５は、カード挿入開始検出回路の概略図である。ＣＦカード挿入開始検出スイッチ118はＣＦカードスロットの挿入口に設けたスイッチであり図４(a)に示した光学式においては赤外線発光部401と赤外線受講部408により構成される、また図４(b)に示した機械式においては機械的可倒スイッチ409が該当し、ＣＦカードの挿入開始をいち早く検出する。ＣＦカード挿入開始検出スイッチ118で検出した信号はＣＰＵ110のＣＦ割込信号503の入力ピンに伝わりその後、後述する図６の処理に使用する。ＳＤカード挿入開始検出スイッチ121はＳＤカードスロットの挿入口に付けた図４に示すスイッチで、ＳＤカードの挿入開始をいち早く検出する。ＳＤカード挿入開始検出スイッチ121で検出した信号はＣＰＵ110のＳＤ割込信号502の入力ピンに伝わりその後、後述する図６の処理に使用する。ＣＦカード挿入開始検出スイッチ118、ＳＤカード挿入開始検出スイッチ121共に誤検出を防ぐためそれぞれを３スイッチ構成505のようにＡ信号スイッチ、Ｂ信号スイッチ、Ｃ信号スイッチと３箇所の信号の条件である「Ａ信号  ＡＮＤ  Ｂ信号  ＡＮＤ  Ｃ信号」の条件を満たさないとＣＰＵ110に対して割込み信号を出さないような、３入力ＡＮＤゲート506を持つ仕組みになっている。
【００２２】
次に図６に示したカード挿入方向案内表示処理フローを説明する。本フローは携帯型情報端末のカードスロットに空きが有る場合に起動し処理が開始される。設定情報テーブルＡ確認処理（S600）は図２ (b)カード挿入案内設定情報テーブル206のＡデータ207に格納されたデータ（情報）を基に分岐する処理である。Ａデータ207が「Ａ：０：１」の場合、カード挿入方向案内表示処理をしないので、カード挿入方向案内表示処理は実行せずに終了する。設定情報テーブルＡ確認処理（S600）でＡデータ207が「Ａ：１：０」の場合は、カード挿入開始信号確認処理（S601）を実行する。
カード挿入開始信号確認処理（S601）は図５で説明したＳＤ割込信号502やＣＦ割込信号503をＣＰＵ110に取り込みカード挿入の有無を判断する。カード挿入開始信号であるＳＤ割込信号502又はＣＦ割込信号503が無い（少なくとも一つのカードスロットは空き）場合はカード挿入開始信号確認処理（S601）を繰り返し、カード挿入開始信号であるＳＤ割込信号502やＣＦ割込信号503がOFFからONに変化があるまで待ち続ける。カード挿入開始信号であるＳＤ割込信号502やＣＦ割込信号503がOFFからONに変化した場合は、カード種別判断処理（S602）を実行する。
【００２３】
カード種別判断処理（S602）は、ＳＤ割込信号502かＣＦ割込信号503を判別する処理である。カード種別判断処理（S602）でＳＤカードの挿入と判断した場合は、ＳＤカード挿入方向案内表示処理（S603）を実行し、CFカードの挿入と判断した場合は、CFカード挿入方向案内表示処理（S607）を実行する。ＳＤカード挿入方向案内表示処理（S603）は図７に示すＳＤカード挿入方向案内表示画面を表示部／入力部（ＬＣＭ）116に表示させるための処理である。図７のＳＤカード挿入方向案内表示画面はＳＤカードの挿入方向を視覚的にわかりやすく表示するための画像情報であり、ＲＯＭ112に予め登録した画像データでＣＰＵ110の指示によりＲＯＭ112からデータを読み出し、表示部／入力部（ＬＣＭ）116に表示させ、使用者がＳＤカードの正しい挿入方向を容易に確認することが可能となる。
カード種別判断処理（S602）でＣＦカードの挿入と判断した場合は、ＣＦカード挿入方向案内表示処理（S607）を実行する。ＣＦカード挿入方向案内表示処理（S607）は図８に示すＣＦカード挿入方向案内表示画面を表示部／入力部（ＬＣＭ）116に表示させるための処理である。図８のＣＦカード挿入方向案内表示画面はＣＦカードの挿入方向を視覚的にわかりやすく表示するための画像情報であり、ＲＯＭ112に予め登録した画像データでＣＰＵ110の指示によりＲＯＭ112からデータを読み出し、表示部／入力部（ＬＣＭ）116に表示させ、使用者がＣＦカードの正しい挿入方向を容易に確認することが可能となる。
【００２４】
ＳＤカード挿入方向案内表示処理（S603）またはＣＦカード挿入方向案内表示処理（S607）を実行した後は、秒数カウント処理（S604）を実行する。秒数カウント処理（S604）は１秒間をカウントし１秒経つと次に情報設定テーブルＢ分岐処理（S605）を実行する。
【００２５】
情報設定テーブルＢ分岐処理（S605）は秒数カウント処理（S604）でカウントした秒数と、Ｂデータ２０８の値を比較して一致した場合はカード挿入案内表示消去処理（S606）を実行する。情報設定テーブルＢ分岐処理（S605）で、秒数カウント処理（S604）のカウント秒数と、Ｂデータ208のデータが一致しない場合は、実行、終了入力待ち処理（S608）を実行する。実行、終了入力待ち処理（S608）で、実行入力部115または終了入力部114からの入力信号が無い場合は秒数カウント処理（S604）に戻り、実行入力部115または終了入力部114からの入力信号がある場合はカード挿入案内表示消去処理（S606）を実行する。カード挿入案内表示消去処理（S606）はＳＤカード挿入方向案内表示処理（S603）またはＣＦカード挿入方向案内表示処理（S607）で表示させた図７に示したＳＤカード挿入方向案内表示画面や図８に示したＣＦカード挿入方向案内表示画面を表示部／入力部（ＬＣＭ）116から消去する処理である。その後空きスロット有無判定処理（S609）を実行し、空きスロットがある場合は、カード挿入開始信号確認処理（S601）に戻る。空きスロット有無判定処理（S609）において空きスロットがない場合は本フローを終了する。
【００２６】
また、表示部／入力部（ＬＣＭ）116に画像を表示する際、「表示部の注意書きに注目して下さい」などの音声によるアナウンスを行うことは、表示部に注意を向けさせることに有効である。
【００２７】
また、プログラムを携帯型情報端末機に格納することにより、上記実施例で説明した機能を発揮できるようにしても良い。この場合、新たに携帯型情報端末機を購入する必要がなく、コスト削減となる。
【００２８】
以上のような処理をすることにより、ＳＤカードやＣＦカードをカードスロットに挿入を開始することを検出し、その検出した信号をトリガにＳＤカードやＣＦカードの正しい挿入方向を表示部に表示させてＳＤカードやＣＦカードの正しい挿入方向を確認する事が出来、カードの挿入方向を間違えたまま無理にＳＤカードやＣＦカードをスロットに挿入してカードコネクタや基板を破損することが低減できる。
【図面の簡単な説明】
【００２９】
【図１】携帯型情報端末機のブロック図
【図２】カード挿入方向案内の設定画面とテーブル
【図３】カード挿入方向案内の設定処理フロー図
【図４】カード挿入開始検出センサ模式図
【図５】カード挿入検出回路概略図
【図６】カード挿入方向案内表示処理フロー図
【図７】SDカード挿入方向案内表示画面図
【図８】ＣＦカード挿入方向案内表示画面図
【符号の説明】
【００３０】
１０１・・・携帯型情報端末機
１１０・・・ＣＰＵ
１１１・・・電源制御部
１１２・・・ＲＯＭ
１１３・・・ＲＡＭ
１１４・・・終了入力部
１１５・・・実行入力部
１１６・・・表示部／入力部（ＬＣＭ）
１１７・・・CFカードスロット
１１８・・・CFカード挿入開始検出センサ
１１９・・・電池部
１２０・・・SDカードスロット
１２１・・・SDカード挿入開始検出センサ
１２２・・・通信部
２００・・・カード挿入方向案内の設定画面
２０１・・・カード挿入方向案内表示の設定
２０２・・・カード挿入方向案内表示時間設定
２０３・・・表示秒数指定エリア
２０４・・・実行ボタン
２０５・・・キャンセルボタン
２０６・・・カード挿入案内設定情報テーブル
２０７・・・Ａデータ
２０８・・・Bデータ
４００・・・上ケース（一部）
４０１・・・赤外線発光部
４０２・・・赤外線発光部用コネクタ
４０３・・・カード
４０４・・・カードスロット
４０５・・・基板
４０６・・・赤外線受光部用コネクタ
４０７・・・下ケース（一部）
４０８・・・赤外線受光部
４０９・・・機械的可倒スイッチ
５０２・・・ＳＤ割込信号
５０３・・・ＣＦ割込信号
５０５・・・３スイッチ構成
５０６・・・３入力ＡＮＤゲート
【図１】
2005301534.tif 000003
【図２】
2005301534.tif 000004
【図３】
2005301534.tif 000005
【図４】
2005301534.tif 000006
【図５】
2005301534.tif 000007
【図６】
2005301534.tif 000008
【図７】
2005301534.tif 000009
【図８】
2005301534.tif 000010